(57)【特許請求の範囲】
【請求項１】
容器体の口筒部（１７）に密にかつ不動に組付き、該口筒部（１７）内に位置する嵌入筒（２）の底壁（３）から注出内容液をガイドする注出筒（５）を立設した本体キャップ（１）と、
該本体キャップ（１）の外周面に密に螺着する螺合筒（１５）と、前記注出筒（５）を覆って前記嵌入筒（２）内に挿入される有頂筒状の計量筒（１１）を有し、透明又は半透明な合成樹脂により一体成形された計量キャップ（１０）とから構成され、
前記計量キャップ（１０）が、頂板（１１ａ）側に設けられた最小径の計量筒（１１）と前記螺合筒（１５）側に設けられた最大径の計量筒（１１）との間に複数の段部（１１ｂ）を有し、該複数の段部（１１ｂ）を含み且つ前記頂板（１１ａ）と前記螺合筒（１５）との間に設けられた全ての前記計量筒（１１）の外周面に、前記頂板（１１ａ）から前記螺合筒（１５）のフランジ壁（１４）に向かうほど徐々に側方に広がるように延出されてなる拡径状の羽根部（１２）が複数形成されると共に、該羽根部（１２）の頂部側端部が前記頂板（１１ａ）と同一高さに形成されていることを特徴とする計量キャップ付き注出栓。
【請求項２】
前記羽根部（１２）が計量キャップ（１０）の中心軸（Ｏ）から放射状に２個〜４個形成されている請求項１に記載の計量キャップ付き注出栓。
【請求項３】
前記段部（１１ｂ）が外鍔状に周設された平面壁を有する請求項１又は２に記載の計量キャップ付き注出栓。
【発明の詳細な説明】
【技術分野】
【０００１】
本発明は、ボトル状容器体の口筒部に組付いて、内容液の注出をガイドする本体キャップと、この本体キャップに螺合により着脱して、注出された内容液を計量する計量キャップとから成る計量キャップ付き注出栓に関するものである。
【背景技術】
【０００２】
液体洗剤、柔軟剤、漂白剤等の液体の内容液を収容している合成樹脂製ブローボトル等の容器体から、内容液を注出使用する際に、この注出内容液の注出量を計量することができるように、容器体の注出栓に計量機能を付与したものが利用されている。
【０００３】
この計量機能付き開閉キャップである計量キャップ付き注出栓の一つとして、例えば特許文献１には、最内筒の第３周壁の下部内面に計量目盛を設けた計量カップ付き容器が知られている。
【０００４】
特許文献１のような従来からの計量キャップ付き容器では、何度か使用しているうちに液垂れした内容液がネジ部等に付着し必要以上に締め込んでしまったり、例えば、手が濡れていたり内容液が付着して滑り易い状況下にて計量キャップを外す際に、計量キャップを回動させ難いという使用しづらいことがあった。
【先行技術文献】
【特許文献】
【０００５】
【特許文献１】実開昭６４−５３０６１号公報
【発明の概要】
【発明が解決しようとする課題】
【０００６】
本発明の目的は、上記した従来技術における課題をすることであり、子供や高齢者などの力の弱い使用者又は滑り易い状況下であっても簡単に開閉動作を実行することができる計量キャップ付き注出栓を提供することである。
また、本発明の別の目的は、注出時において内容液を正確に計量することができる計量キャップ付き注出栓を提供することである。
【課題を解決するための手段】
【０００７】
上記課題の解決手段として、本発明に係る計量キャップ付き注出栓は、
容器体の口筒部に密にかつ不動に組付き、該口筒部内に位置する嵌入筒の底壁から注出内容液をガイドする注出筒を立設した本体キャップと、
該本体キャップの外周面に密に螺着螺合筒と、該注出筒を覆って前記嵌入筒内に挿入される有頂筒状の計量筒を有し、透明又は半透明な合成樹脂により一体成形された計量キャップとから構成され、
該計量キャップが、頂板側に設けられた最小径の計量筒と前記螺合筒側に設けられた最大径の計量筒との間に複数の段部を有し、該複数の段部を含み且つ前記頂板と前記螺合筒との間に設けられた全ての前記計量筒の外周面に、前記頂板から前記螺合筒のフランジ壁に向かうほど徐々に側方に広がるように延出されてなる拡径状の羽根部が複数形成されると共に、該羽根部の頂部側端部が前記頂板と同一高さに形成されている
ことを特徴とする。
【０００８】
上記構成によって、羽根部が計量キャップ開閉に伴う回動動作時に手掛かり部・摘み部となるため、手が濡れていたり内容液が付着して滑り易い状況下、或いは子供や高齢者などの力の弱い使用者、であっても簡単かつスムーズに開閉動作を実行することが可能である。また、段部は注出時に計量用の目盛として使用することができる。更に羽根部の頂部側端部が計量筒の頂板と同一高さに成形されていることにより、計量キャップ倒立時においてより自立安定性を高めることが可能となった。
【０００９】
また、本発明の別の構成は、羽根部が計量キャップの中心軸から放射状に２個〜４個形成されているものである。
【００１０】
計量キャップの中心軸から放射状に、羽根部を２個〜４個外側に広がる脚部のように設けることによって、自立安定性の更なる向上が見込まれる。
【００１１】
また、本発明の別の構成は、段部が外鍔状に周設された平面壁を有するものである。
【００１２】
段部が外鍔状に周設された平面壁を有することによって、計量用目盛として用いる際に認識し易い構成となり、内容液を正確に計量することができる。
【発明の効果】
【００１５】
本発明の上記した構成においては、以下に示す効果を奏する。
計量キャップに羽根部を設けたことによって、滑り易い状況下或いは力の弱い使用者であっても計量キャップ開閉時の回動動作を簡単かつスムーズに実行することが可能であり、更には、自立安定性に優れたものとなった。
また、計量キャップの段部を計量時に目盛として用いることができるため、内容液を正確に計量することが可能である。
【図面の簡単な説明】
【００１６】
【図１】容器体に組付いた本発明の一実施形態例での計量キャップの平面図（ａ）、部分縦断面図（ｂ）である。
【図２】本発明の第一実施形態例での計量キャップの斜視図である。
【図３】本発明の第二実施形態例での計量キャップの平面図（ａ）、部分縦断面図（ｂ）である。
【発明を実施するための形態】
【００１７】
以下、本発明にかかる実施の形態について図面を参照しつつ説明する。
【００１８】
図１は容器体に組付いた本発明の一実施形態例での、（ａ）計量キャップの平面図と（ｂ）口筒部、本体キャップ、計量キャップにおける部分縦断面図とである。
本発明による計量キャップ付き注出栓２０は、本体キャップ１と計量キャップ１０とから構成されている。本体キャップ１は、内容液を収納するボトル状の容器体１６の口筒部１７に組付き、計量キャップ１０は、この本体キャップ１に着脱自在に螺合して、容器体１６を開閉する。
【００１９】
本体キャップ１は、図１（ｂ）に示されるように、容器体１６の口筒部１７に密に嵌入する嵌入筒２と、この嵌入筒２の底壁３に立設された注出筒５と、嵌入筒２の上端に外鍔状に連設され、組付け筒８を起立設した頂壁７と、この頂壁７の外周端から垂下設された装着筒９とから構成されている。
【００２０】
底壁３は、やや内側に偏った箇所に下降傾斜したテーパ壁状をしており、その内側部分に開設された注出開口４の開口縁に、樋状となった注出筒５が起立設されている。注出筒５はＣ形状の円筒状であり、注出筒５の半分側は内容液の注出状況を目視し易いように開口部となる注出開口４であり、この開口側部の下端が位置する底壁３の最下位の部分が、容器体１６内への内容液の戻り口となっている。注出筒５は、開口側部の反対側となる、湾曲している背面側に補強部６を備えている。
【００２１】
組付け筒８は、計量キャップ１０を螺合組付けする部分である。装着筒９は、本体キャップ１を容器体１６に螺合組付けする部分であり、その下端には回り止め片９ａが設けられている。そして装着筒９の外周面には、滑り止めのローレット状の縦溝が設けられている。回り止め片９ａを、容器体１６の回り止め凹部１８に係合させることによって、計量キャップ１０の着脱時における回動に伴う本体キャップ１の共廻りによる、容器体１６に対する本体キャップ１の螺合の緩み発生を防止している。
【００２２】
計量キャップ１０は、本体キャップ１に組付いた状態で開口部側を嵌入筒２内に挿入する有頂筒形状をし、ラッパ状に少し拡径している先端部１３を有する計量筒１１と、この計量筒１１の略中央高さ位置から外鍔状に周設されたフランジ壁１４と、このフランジ壁１４の周端から垂下設されて、組付け筒８の外周面に密に螺合する螺合筒１５と、組付け筒８の内周面に密に接して内容液漏れを防止するシール部材１５ａと、から構成され、透明又は半透明な合成樹脂により一体成形されている。螺合筒１５の外周面にも滑り止めのローレット状の縦溝が設けられている。
【００２３】
計量キャップ１０の計量筒１１は上部に頂板１１ａを有し、頂板１１ａにより計量キャップ１０の倒立時に自立させることができる。そして、計量筒１１の頂板１１ａから中央部に掛けて段部１１ｂを備えている。段部１１ｂは、注出時に計量用の目盛として使用することができるように外鍔状に周設された平面壁を有することが、内容液を正確に計量できることから好ましい。計量筒１１の外周面には、頂板１１ａからフランジ壁１４に向かうほど徐々に側方に広がるように延出されてなる拡径状（ラッパ状又はホーン状ともいう）の複数の羽根部１２が一体に成形されている。羽根部１２の頂部側端部は頂板１１ａと同一高さに成形することによって、計量キャップ１０倒立時においてより自立安定性を高めることができる。更に、羽根部１２を計量キャップ１０の中心軸Ｏから放射状に、２個（１８０度毎）、３個（１２０度毎）、４個（９０度毎）と外側に広がる脚部のように設けると、より自立安定性が向上する。なお、羽根部１２が多くし過ぎると注出時に内容液を、透明又は半透明の計量キャップ１０の外側から計量した内容液を目視し難くなる場合がある。
【００２４】
計量キャップ１０外周面の羽根部１２は、計量キャップ１０開閉に伴う回動動作時に手掛かり部・摘み部となるため、手が濡れていたり内容液が付着して滑り易い状況下、或いは子供や高齢者などの力の弱い使用者、であっても簡単・スムーズに開閉動作を実行することが可能となる。
【００２５】
次に、本発明の実施形態について説明する。
第一実施形態においては、図１に示される様に、計量キャップ１０の外周部に羽根部１２が９０度毎に４個形成される構造である。計量キャップ１０を本体キャップ１から取り外すように、羽根部１２を手掛かり部・摘み部として回動動作を行うと図２（ａ）に示される状態のように取り外せる。その後、内容液を計量キャップ１０に注出する時には、図２（ｂ）に示される様に計量キャップ１０の頂板１１ａを下にして倒立した際に自立状態とすることができる。この倒立時、羽根部１２頂部側端部が頂板１１ａと同一高さで、外側に広がる脚部のような働きをするため、自立安定性を高められる。
【００２６】
また、透明又は半透明な合成樹脂製の計量筒１１に設けられた段部１１ｂ、特に外鍔状に周設された平面壁は、内容液の計量時において目盛りとして用いることができる。図２では段部１１ｂが１段であるが、目的計量に応じて段部１１ｂを複数設けることも可能である。
【００２７】
第二実施形態においては、図３に示される様に、計量キャップ１０の外周部に羽根部１２が１２０度毎に３個形成される構造である。羽根部１２が３個と少ないため、計量された内容液を外側から目視し易い構成となっている。
【００２８】
以上、実施形態に沿って本発明の注出栓２０の構成とその作用効果について説明したが、本発明の実施の形態は上記実施形態に限定されるものではない。
【００２９】
上記実施形態においては、本体キャップ１の口筒部１７に対する組付きが螺合組付きを説明したが、本体キャップ１の口筒部１７に対する組付きは、螺合に限ることはなく、例えばアンダーカット組付きであっても構わない。また、上記実施形態の図２では段部１１ｂまでの容量を５ｍｌとしたが、頂板１１ａの半径や頂板１１ａから段部１１ｂまでの高さを適宜変更することによって、容量を調整することが可能である。
【産業上の利用可能性】
【００３０】
以上説明したように、本発明は、羽根部を設けたことによって計量キャップの回動動作がスムーズに実行することが可能となり、また段部を計量時に目盛として用いることができるため計量キャップの分野における用途展開をさらに広い領域で図ることができる。
【符号の説明】
【００３１】
１  ；本体キャップ
２  ；嵌入筒
３  ；底壁
４  ；注出開口
５  ；注出筒
６  ；補強部
７  ；頂壁
８  ；組付け筒
９  ；装着筒
９ａ；回り止め片
１０；計量キャップ
１１；計量筒
１１ａ；頂壁
１１ｂ；段部
１２；羽根部
１３；先端部
１４；フランジ壁
１５；螺合筒
１５ａ；シール部材
１６；容器体
１７；口筒部
１８；回り止め凹部
２０；注出栓
Ｏ；（計量キャップ）中心軸
【図１】
0006628662.tif 000002
【図２】
0006628662.tif 000003
【図３】
0006628662.tif 000004